(57)【要約】【課題】雨水の量が多い場合でも、中間材同士の間の隙間に流れ込んだ雨水を、雨漏りしていると誤認されることなく、良好に排出できる建物用庇を提供する。【解決手段】複数の庇構成材５が互いに幅方向に連結されてなる庇本体３と、複数の庇構成材５の前端部に跨って庇本体３の前端部に取り付けられる先端見切り材４と、を備え、前側ほど下方となるように傾斜されて配置されている建物用庇であって、先端見切り材４または先端見切り材４の前方に、庇本体３の上面部３ａに沿って流れ落ちてきた雨水Ｗ１と、庇構成材５同士の間の隙間を通って流れ落ちてきた雨水Ｗ２と、を合流させる合流部１５が設けられ、合流部１５で合わされた雨水を先端見切り材４の前縁または前縁前方箇所から排水する。【選択図】図３
2019218747.tif 000002
【特許請求の範囲】
【請求項１】
複数の庇構成材が互いに幅方向に連結されてなる庇本体と、複数の庇構成材の前端部に跨って庇本体の前端部に取り付けられる先端見切り材と、を備え、前側ほど下方となるように傾斜されて配置されている建物用庇であって、
先端見切り材または先端見切り材の前方に、庇本体の上面部に沿って流れ落ちてきた雨水と、庇構成材同士の間の隙間を通って流れ落ちてきた雨水と、を合流させる合流部が設けられ、
合流部で合わされた雨水を先端見切り材の前縁または前縁前方箇所から排水するよう構成していることを特徴とする建物用庇。
【請求項２】
先端見切り材に、庇構成材同士の間の隙間を通って流れ落ちてきた雨水を通す連結部間雨水用通路が設けられていることを特徴とする請求項１に記載の建物用庇。
【請求項３】
先端見切り材に、連結部間雨水用通路が設けられている箇所を覆う覆い部が設けられていることを特徴とする請求項２に記載の建物用庇。
【請求項４】
先端見切り材が、底面部と、底面部から立設する立設部と、前側ほど下方に傾斜する覆い部と、を有し、立設部に連結部間雨水用通路としての雨水用孔部が設けられていることを特徴とする請求項３に記載の建物用庇。
【請求項５】
複数の庇構成材が互いに幅方向に連結されてなる庇本体と、複数の庇構成材の前端部に跨って庇本体の前端部に取り付けられる先端見切り材と、を備え、前側ほど下方となるように傾斜されて配置されている建物用庇であって、
先端見切り材に、庇本体の上面部に沿って流れ落ちてきた雨水と、庇構成材同士の間の隙間を通って流れ落ちてきた雨水と、を近接させて排水させる近接排水部が設けられていることを特徴とする建物用庇。
【発明の詳細な説明】
【技術分野】
【０００１】
本発明は、建物の軒先などに取り付けられて、雨水や日光が直接当たらないように遮る建物用庇に関するものである。
【背景技術】
【０００２】
従来のこの種の建物用庇としては、例えば特許文献１等に開示されているものが知られている。図１３などに示すように、この建物用庇７０は、建物用庇７０を取り付ける壁面に取り付けられる壁面取り付け部材７１と、この壁面取り付け部材７１に後端部が組み付けられて、壁面取り付け部材７１から前側（壁面より突出する外側）に突出されて配置される庇本体７２と、この庇本体７２の前端部に組付けられる先端見切り材７３などから構成されている。
【０００３】
庇本体７２は、前後方向（建物用庇７０が壁面から突出する方向）に長い複数の庇構成材７４が、互いに幅方向に連結されて配置されている。庇構成材７４は、庇本体７２の幅方向両端部にそれぞれ配置される端部材７４Ａと、これらの端部材７４Ａの間に配置される複数の中間材７４Ｂとから構成される。先端見切り材７３は、建物用庇７０の両端部間を繋ぐ幅方向に長い材料で構成され、複数の庇構成材７４の前端部に跨って配置される。
【０００４】
この建物用庇７０として、図１３〜図１５に示すように、前側ほど下方となるように傾斜されて配置される（いわゆる前勾配型）とともに、雨が降った際の大部分の雨水Ｗ１が、庇本体７２の上面部７２ａから先端見切り材７３の上面部７３ａを伝って、先端見切り材７３の上面部前縁から分散して流れ落ちるよう構成されているものがある。この種の建物用庇７０では、一部の雨水（先端見切り材７３の上面部７３ａ前縁から流れ落ちる雨水Ｗ１以外の雨水）Ｗ２は、庇構成材７４同士を連結（嵌合）させている箇所の隙間から、この庇構成材７４の連結部（嵌合部）に形成されている庇樋部７６、７７（図１５参照）を通って、前側ほど下方となる勾配によって先端側（前側）に流れ、先端見切り材７３の内部に形成されている補助樋部７８（図１４参照）から左側または右側の端部に流れ、先端見切り材７３の左右両端部に開口されている排水用開口部８０（図１３参照）から流れ落ちるようになっている。
【先行技術文献】
【特許文献】
【０００５】
【特許文献１】特開２０１４−２００２３号公報
【発明の概要】
【発明が解決しようとする課題】
【０００６】
しかしながら、雨水の量が多くて先端見切り材７３の両端部に設けた排水用開口部８０からの排水が間に合わない場合や、建物用庇７０などの施工精度が悪くて建物用庇７０が幅方向に対して水平となっていない場合に、先端見切り材７３の後端部と庇本体７２の下面との間の隙間８１からオーバーフローするなどした雨水Ｗ３が出ることがあり、この場合には、建物用庇７０が雨漏りしていると認識されてしまう恐れがある。
【０００７】
また、また、先端見切り材７３が左右に長い場合には、図１６に示すように、補助樋部７８の一部に水抜き孔８２を設けて、この水抜き孔８２からも雨水が流れ落ちるよう構成されている場合もあるが、この場合にも、水抜き孔８２から多量の雨水Ｗ４が流れ落ちると、建物用庇７０が雨漏りしていると誤認されてしまう恐れがある。
【０００８】
本発明は上記課題を解決するもので、雨水の量が多い場合でも、中間材同士の間の隙間に流れ込んだ雨水を、雨漏りしていると誤認されることなく、良好に排出できる建物用庇を提供することを目的とするものである。
【課題を解決するための手段】
【０００９】
上記課題を解決するために、本発明は、複数の庇構成材が互いに幅方向に連結されてなる庇本体と、複数の庇構成材の前端部に跨って庇本体の前端部に取り付けられる先端見切り材と、を備え、前側ほど下方となるように傾斜されて配置されている建物用庇であって、先端見切り材または先端見切り材の前方に、庇本体の上面部に沿って流れ落ちてきた雨水と、庇構成材同士の間の隙間を通って流れ落ちてきた雨水と、を合流させる合流部が設けられ、合流部で合わされた雨水を先端見切り材の前縁または前縁前方箇所から排水するよう構成していることを特徴とする。
【００１０】
この構成によれば、庇本体の上面部に沿って流れ落ちてきた雨水と庇構成材同士の間の隙間を通って流れ落ちてきた雨水とが合流部で合流し、合流部で合わされた雨水が先端見切り材の前縁または前縁前方箇所から排水される。したがって、雨水の量が多い場合でも、先端見切り材の両端部に設けた排水用開口部から多くの雨水があふれ出たり、オーバーフローした雨水が先端見切り材の後端部と庇本体の下面との間の隙間から出たり、補助樋部の一部に設けた水抜き孔から多量の雨水が流れ落ちたりしないように構成でき、ひいては、建物用庇が雨漏りしていると誤認されてしまうことを防止することが可能となる。
【００１１】
また、本発明は、先端見切り材に、庇構成材同士の間の隙間を通って流れ落ちてきた雨水を通す連結部間雨水用通路が設けられていることを特徴とする。この構成により、庇構成材同士の間の隙間を通って流れ落ちてきた雨水（連結部間雨水）を、先端見切り材に設けられている連結部間雨水用通路を通して、合流部に流すことができる。
【００１２】
また、本発明は、先端見切り材に、連結部間雨水用通路が設けられている箇所を覆う覆い部が設けられていることを特徴とする。この構成により、庇構成材同士の間の隙間を通って流れ落ちてきた雨水（連結部間雨水）が、先端見切り材に設けられている連結部間雨水用通路を通して、合流部に流れていることを外側から認識し難くなる（分かり難くなる）。これにより、建物用庇が雨漏りしていると誤認されてしまうことをより良好に防止することができる。
【００１３】
また、本発明は、先端見切り材が、底面部と、底面部から立設する立設部と、前側ほど下方に傾斜する覆い部と、を有し、立設部に連結部間雨水用通路としての雨水用孔部が設けられていることを特徴とする。この構成により、比較的簡単な構成で、建物用庇が雨漏りしていると誤認されてしまうことを防止することができる。
【００１４】
なお、上記構成に代えて、先端見切り材に、庇本体の上面部に沿って流れ落ちてきた雨水と、庇構成材同士の間の隙間を通って流れ落ちてきた雨水とを近接させて排水させる近接排水部を設けてもよい。
【発明の効果】
【００１５】
本発明によれば、先端見切り材または先端見切り材の前方に、庇本体の上面部に沿って流れ落ちてきた雨水と、庇構成材同士の間の隙間を通って流れ落ちてきた雨水と、を合流させる合流部を設け、合流部で合わされた雨水を先端見切り材の前縁または前縁前方箇所から排水するよう構成することにより、雨水の量が多い場合でも、先端見切り材の両端部に設けた排水用開口部から多くの雨水があふれ出たり、オーバーフローした雨水が先端見切り材の後端部と庇本体の下面との間の隙間から出たり、補助樋部の一部に設けた水抜き孔から多量の雨水が流れ落ちたりしないように構成でき、ひいては、建物用庇が雨漏りしていると誤認されてしまうことを防止することが可能となり、建物用庇としての信頼性を向上させることができる。
【００１６】
また、先端見切り材に、連結部間雨水用通路が設けられている箇所を覆う覆い部を設けることにより、庇構成材同士の間の隙間を通って流れ落ちてきた雨水が、合流部に流れ込んでいることを外側から認識し難くなり、建物用庇が雨漏りしていると誤認されてしまうことをより良好に防止することができる。
【００１７】
また、先端見切り材に、庇本体の上面部に沿って流れ落ちてきた雨水と、庇構成材同士の間の隙間を通って流れ落ちてきた雨水と、を近接させて排水させる近接排水部を設けることによっても、雨水の量が多い場合でも、先端見切り材の両端部に設けた排水用開口部から多くの雨水があふれ出たり、オーバーフローした雨水が先端見切り材の後端部と庇本体の下面との間の隙間から出たり、補助樋部の一部に設けた水抜き孔から多量の雨水が流れ落ちたりしないように構成でき、ひいては、建物用庇が雨漏りしていると誤認されてしまうことを防止することが可能となり、建物用庇としての信頼性を向上させることができる。
【図面の簡単な説明】
【００１８】
【図１】本発明の実施の形態に係る建物用庇の全体斜視図である。
【図２】同建物用庇の庇本体における庇構成材（中間材）の連結部などを示す正面端面図である。
【図３】同建物用庇における庇本体の前端部および先端見切り材を示す側面断面図である。
【図４】同建物用庇の要部分解斜視図である。
【図５】同建物用庇の下側材（下側先端見切り材）の正面図である。
【図６】同建物用庇の先端見切り材の分解側面断面図である。
【図７】同建物用庇における庇構成材（中間材）の連結部などを示す正面端面図であり、庇構成材の庇樋部を通った雨水（連結部間雨水）が庇構成材の空洞部に流れ込む状況を示す。
【図８】同建物用庇における庇本体の前端部および先端見切り材を示す側面断面図であり、庇構成材の庇樋部を通った雨水（連結部間雨水）が庇構成材の空洞部を通して、先端見切り材の底面上に流れ込む状況を示す。
【図９】本発明の実施の形態に係る建物用庇の変形例を示す側面断面図である。
【図１０】本発明の実施の形態に係る建物用庇の他の変形例を示す側面断面図である。
【図１１】本発明の実施の形態に係る建物用庇のその他の変形例を示す側面断面図である。
【図１２】本発明の実施の形態に係る建物用庇のさらに他の変形例を示す側面図である。
【図１３】従来の建物用庇の斜視図である。
【図１４】同従来の建物用庇における庇本体の前端部および先端見切り材を示す側面断面図である。
【図１５】同従来の建物用庇の庇本体における庇構成材（中間材）の連結部を示す正面端面図である。
【図１６】同従来の建物用庇の先端見切り材およびその近傍箇所の斜視図である。
【発明を実施するための形態】
【００１９】
以下、本発明に係る実施の形態の建物用庇を、図面に基づき説明する。
図１などにおいて、１は、建物の軒先などに取り付けられて、雨水や日光が直接当たらないように遮る建物用庇である。建物用庇１は、建物用庇１を取り付ける壁面に取り付けられる壁面取り付け部材２と、この壁面取り付け部材２に後端部が組み付けられて、壁面取り付け部材２から前側（壁面より突出する外側）が若干下方に傾斜された姿勢で突出されて配置される庇本体３と、この庇本体３の前端部に組付けられている先端見切り材４などから構成されている。そして、まず、壁面に壁面取り付け部材２が取り付けられた後、この壁面取り付け部材２に後述する庇構成材５が幅方向に連結されながら組み付けられ、最後に、複数の庇構成材５からなる庇本体３の前端部に先端見切り材４などが組み付けられる。
【００２０】
図１、図２などに示すように、庇本体３は、前後方向（建物用庇３が壁面から突出する方向）に長い平面視矩形の複数の庇構成材５が、互いに幅方向に連結されて構成されて（互いに幅方向端部で嵌合された状態で幅方向に連続して並べられて配置されて）いる。なお、この実施の形態では、庇構成材５は、庇本体３の幅方向両端部にそれぞれ配置される端部材５Ａと、これらの端部材５Ａの間に配置される複数の中間材５Ｂとから構成される。先端見切り材４は、建物用庇１の両端部間を繋ぐ幅方向（すなわち左右方向）に長い材料で構成され、複数の庇構成材５の前端部に跨って庇本体３の前端部に取り付けられている。なお、これらの壁面取り付け部材２、庇構成材５、先端見切り材４などの建物用庇１の構成要素は、軽量かつ強度があり、錆び難く、比較的安価なアルミニウムなどの金属製の押出形材などにより構成されると好適であるが、これに限るものではなく、他の金属材料や非金属材料などで構成してもよい。
【００２１】
図１〜図３などに示すように、この建物用庇１は、前側ほど下方となるように傾斜されて配置される、いわゆる前勾配型とも称せられるものである。このような前勾配型の建物用庇１では、雨が降った際の雨水の多くは、庇本体３（庇構成材５）の上面部３ａから先端見切り材４の上面部４ａをなす後述する覆い部９の上を通りながら、先端見切り材４の前縁４ｂから分散して流れ落ちるよう構成されている。建物用庇１において、一部の雨水Ｗ２は、庇構成材５同士を連結（嵌合）させている箇所（庇構成材連結部）の隙間から、これらの庇構成材５の連結部（嵌合部）の内部に設けられている（下方に窪む凹状に形成されている）庇樋部６、７（図２参照）を通って、前側ほど下方となる勾配によって前側（先端側）に流れるよう構成されている。なお、この実施の形態では、正面視して、互いに連結される庇構成材５における左側に配置される庇構成材５の庇樋部６、７が右側に配置される庇構成材５に形成された突出底面部５ａ、５ｂ上に重ねられた状態で嵌合（係合）されて連結されているが、これに限るものではない。
【００２２】
図３〜図６などに示すように、先端見切り材４は、下側材（下側先端見切り材）８と、この下側材８を上方から覆う覆い部（先端見切り覆い部）９と、先端見切り材４の両側面部に組付けられる側面蓋（先端見切り側面蓋）１０と、などから構成され、下側材８および覆い部９は左右（建物用庇１の幅方向）に延びて左右に長い形状とされている。そして、図３、図４などに示すように、先端見切り材４の下側材８が庇本体３（庇構成材５）の前端部に当接された状態で、適当間隔ごとに配置される組付けねじ１１により組み付けられ、さらに、下側材８の上方から覆い部９が重ねられて組付けねじ１２で固定されるとともに、下側材８の両側面部に組付けねじ１３を介して側面蓋１０が組み付けられることで、先端見切り材４が庇本体３（庇構成材５）の前端部に取り付けられる。なお、図２における５ｃは、庇構成材５の連結部（嵌合部）近傍箇所に一体形成されて組付けねじ１１がねじ込まれる螺合用突部、図５、図６における８ｉは、下側材（下側先端見切り材）８に形成されて組付けねじ１１を挿通させるねじ挿通孔である。
【００２３】
図３、図６、図７などに示すように、先端見切り材４の下側材（下側先端見切り材）８には、庇本体３（庇構成材５）の前端下面部よりも前側下方位置で、前側ほど下方に緩い角度で傾斜した姿勢で前方に延びる底面部８ａと、底面部８ａの前後方向略中央箇所から立設する（上方に起立する）立設部８ｂと、立設部８ｂの上端縁から前後に延びる中間面部８ｃと、中間面部８ｃの後端縁から上方に延びて、庇構成材５の前端面に当接された状態で組付けねじ１１により組み付けられる取付面部８ｄと、取付面部８ｄの上縁部より前方に略Ｃの字形状に突出し、その上面部に覆い部１０の上端縁が当てられるとともに庇構成材５の上側の庇樋部６からの雨水を左右に分散させて流す上樋部８ｅと、上樋部８ｅの上端縁の後部に形成されて、パッキン１４（図３、図４参照）を介して（あるいは直接）庇構成材５の前端上縁に突き当てた状態で当接される当接面部８ｆと、中間面部８ｃの前縁から上方に延びて、覆い部９に形成された係合突部９ａに係合する係合突部８ｇと、側面蓋１０を取り付ける組付けねじ１３をねじ込むための螺合（雌孔）部分として機能する螺合用突部８ｈと、などが形成（一体形成）されている。また、底面部８ａの後端部（底面後端部）８ａ’は後側ほど上方となるように傾斜して、庇本体３（庇構成材５）の前端部底面に近接して配置されている。
【００２４】
また、先端見切り材４の覆い部（先端見切り覆い部）９には、庇本体３（庇構成材５）の前端部上面に沿う姿勢で、下側材（下側先端見切り材）８における上樋部８ｅの上面部に重ね合わされる後部上面部９ｂと、後部上面部９ｂの前縁から前側ほど下方となるように傾斜する傾斜面部９ｃと、傾斜面部９ｃの裏面に形成されて、下側材８の係合突部８ｇに係合する係合突部９ａと、側面蓋１０を取り付ける組付けねじ１３をねじ込むための螺合（雌孔）部分として機能する螺合用突部９ｄと、傾斜面部９ｃの前端縁から下方に延びる下延部９ｅと、などが形成（一体形成）されている。
【００２５】
また、図１、図３に示すように、先端見切り材４の側面蓋（先端見切り側面蓋）１０には、側面蓋１０を取り付ける組付けねじ１３を挿通させるねじ挿通孔１０ａや、庇構成材５同士の間の隙間を通って流れ落ちてきた雨水（連結部間雨水）Ｗ２を排出するための排水用開口部１０ｂが形成されている。
【００２６】
上記構成に加えて、図１、図３などに示すように、先端見切り材４には、庇本体３の上面３ａに沿って流れ落ちてきた雨水Ｗ１と、庇構成材５同士の間の隙間を通って流れ落ちてきた雨水（連結部間雨水）Ｗ２と、を合流させる合流部１５が設けられている。また、先端見切り材４に、庇構成材５同士の間の隙間を通って流れ落ちてきた雨水を通す連結部間雨水用通路が設けられている。この実施の形態では、合流部１５は、先端見切り材４の下側材（下側先端見切り材）８における底面部上の前縁近傍箇所に配置され、後述するように、この合流部１５で、庇本体３の上面３ａに沿って流れ落ちてきた雨水Ｗ１と、庇構成材５同士の間の隙間を通って流れ落ちてきた雨水（連結部間雨水）Ｗ２と、が合流するようになっている。また、図３、図５〜図７などに示すように、先端見切り材４の下側材（下側先端見切り材）８において底面部８ａから立設する立設部８ｂに連結部間雨水用通路としての雨水用孔部８ｊが幅方向適当間隔ごとに設けられている。
【００２７】
上記構成において、雨が降ると、建物用庇１上に降ったり屋根などから建物用庇１上に流れ落ちてきたりする雨水の多くは、図１、図３に示すように、庇本体３（庇構成材５）の上面部３ａから先端見切り材４の上面部４ａをなす覆い部９上を通って、すなわち、覆い部９の後部上面部９ｂ、傾斜面部９ｃおよび下延部９ｃ上を通って、先端見切り材４の合流部１５（この実施の形態では、先端見切り材４の下側材（下側先端見切り材）８の底面部８ａにおける前縁４ｂ近傍箇所）に流れ落ちる。
【００２８】
また、一部の雨水（残りの雨水で後述する連結部間雨水）Ｗ２は、庇構成材５同士を連結（嵌合）させている箇所（庇構成材連結部）の隙間（中間材５Ｂ同士の間や中間材５Ｂと端部材５Ａとの間）から、これらの庇構成材５の連結部（嵌合部）の内部に設けられている（下方に窪む凹状に形成されている）庇樋部６、７（図２、図３参照）を通って、前側ほど下方となる勾配によって前側（先端側）に流れる。この実施の形態では、庇構成材連結部の上部に設けられている庇樋部６に流れ込んだ雨水（連結部間雨水）Ｗ２は、ある程度の高さＨ１（図８参照）だけ溜まると、図７、図８示すように、一旦、下側材（下側先端見切り材）８の上樋部８ｅに流れ込み、その後、上樋部８ｅを伝って左右両側方に流れる。上樋部８ｅが臨む庇構成材５の内部は、庇構成材連結部以外の箇所では、ほぼ上下に空洞となっているため、この空洞部５ｃを通して、下側材（下側先端見切り材）８の底面部８ａ上（後部寄り領域）に流れ込む。また、庇構成材連結部の下部に設けられている庇樋部７に流れ込んだ雨水Ｗ２は、そのまま、下側材（下側先端見切り材）８の底面部８ａ上（後部寄り領域）に流れ込む。
【００２９】
そして、図１、図３、図８などに示すように、これらの下側材（下側先端見切り材）８の底面部８ａ上（後部寄り領域）に流れ込んだ雨水（連結部間雨水）Ｗ２は、連結部間雨水用通路としての雨水用孔部８ｊを通って、下側材（下側先端見切り材）８の底面部８ａ上（前部寄り領域）に流れ込み、さらには、先端見切り材４の合流部１５（この実施の形態では、先端見切り材４の下側材（下側先端見切り材）８の底面部８ａにおける前縁４ｂ近傍箇所）に流れ込む。
【００３０】
これにより、先端見切り材４の合流部１５で、庇本体３（庇構成材５）の上面部３ａに沿って流れ落ちてきた雨水Ｗ１と、庇構成材５同士の間の隙間を通って流れ落ちてきた雨水（連結部間雨水）Ｗ２と、が合流し、先端見切り材４の前縁（この実施の形態では、下側材（下側先端見切り材）８の底面部８ａの前縁）から、合流した雨水Ｗ１、Ｗ２が流れ落ちる。
【００３１】
したがって、合流した殆どの雨水Ｗ１、Ｗ２が先端見切り材４の前縁から分散した状態で流れ落ち、雨水の量が多い場合でも、先端見切り材４の幅方向両端部に設けた側面壁１０の排水用開口部１０ｂから多くの雨水があふれ出たり、オーバーフローした雨水が先端見切り材４の後端部と庇本体３の下面との間の隙間２１（図３参照）から出たりすることはない。この結果、建物用庇１が雨漏りしていると誤認されてしまうことを防止でき、ひいては、建物用庇としての信頼性を向上させることができる。
【００３２】
なお、上記実施の形態では、先端見切り材４の幅方向両端部に設けた側面壁１０に排水用開口部１０ｂを形成した場合を述べたが、必ずしも排水用開口部１０ｂを設けなくてもよく、例えば、連結部間雨水用通路としての雨水用孔部８ｊの数を増やすなどして、排水用開口部１０ｂを設けない構成としてもよい。すなわち、この場合には、庇構成材５同士の間の隙間を通って流れ落ちてきた雨水（連結部間雨水）Ｗ２も全て先端見切り材４の前縁（この実施の形態では、下側材（下側先端見切り材）８の底面部８ａの前縁）から排出される。
【００３３】
また、上記実施の形態では、庇本体３（庇構成材５）の上面部３ａと、先端見切り材４の覆い部９の後部上面部９ｂとが同一面となる場合を図示したが、これに限るものではなく、図９に示すように、先端見切り材４の覆い部９の後部９ｇにより、庇本体３（庇構成材５）の上面部３ａの下端部を覆うよう構成としてもよい。
【００３４】
また、上記実施の形態では、庇本体３（庇構成材５）の上面部３ａに沿って流れ落ちてきた雨水Ｗ１と、庇構成材５同士の間の隙間を通って流れ落ちてきた雨水（連結部間雨水）Ｗ２と、が合流する合流部１５が先端見切り材４に設けられているため、合流した雨水Ｗ１、Ｗ２が先端見切り材４の前縁から良好に分散した状態で流れ落ちて、建物用庇１が雨漏りしていると誤認されてしまうことを良好に防止できる。
【００３５】
しかし、上記構成に限るものではなく、図１０に示すように、先端見切り材４の前方に、庇本体３の上面部３ａに沿って流れ落ちてきた雨水Ｗ１と、庇構成材５同士の間の隙間を通って流れ落ちてきた雨水（連結部間雨水）Ｗ２と、を合流させる合流部１６を設けてもよい。すなわち、先端見切り材４上ではなくて、先端見切り材４の前縁４ｂよりも前方の箇所で、庇本体３の上面部３ａおよび先端見切り材４の覆い部９に沿って流れ落ちてきた雨水Ｗ１と、庇構成材連結部の庇樋部６、７および底面部８ａを通った雨水（連結部間雨水）Ｗ２とが合流して、この合流した雨水Ｗ１、Ｗ２が流れ落ちるように構成してもよい。この構成によっても、建物用庇１が雨漏りしていると誤認されてしまうことを防止でき、建物用庇としての信頼性を向上させることができる。
【００３６】
さらには、先端見切り材４に、庇本体３の上面部３ａに沿って流れ落ちてきた雨水Ｗ１と、庇構成材５同士の間の隙間を通って流れ落ちてきた雨水Ｗ２と、を近接させて排水させる近接排水部１７を設けてもよい。例えば、図１１に示すように、先端見切り材４の底面部８ａの前縁８ｋの前方近傍に、先端見切り材４の覆い部９の前縁９ｆが位置するよう構成し、庇構成材５同士の間の隙間を通って流れ落ちてきた雨水Ｗ２は先端見切り材４の底面部８ａの前縁８ｋから流れ落ち、庇本体３の上面部３ａに沿って流れ落ちてきた雨水Ｗ１は先端見切り材４の覆い部９の前縁９ｆから流れ落ちるよう構成する。そして、建物用庇１の下方にいる人から目視した際に、雨水Ｗ２が流れ落ちる先端見切り材４の底面部８ａの前縁８ｋと、雨水Ｗ１が流れ落ちる先端見切り材４の覆い部９の前縁９ｆとが、互いの位置が異なったり離れていたりすると認識（視認）できないような近接する位置に配置する。これによっても、建物用庇１の下方にいる人は、雨水Ｗ１、Ｗ２がほぼ同じ箇所から流れ落ちると認識するため、建物用庇１が雨漏りしていると誤認されてしまうことを防止できる。
【００３７】
なお、庇本体３は、壁面に取り付けられる壁面取り付け部材２だけにより支持される構成でもよいが、これに限るものではなく、図１２に示すように、壁面１８に組付けた支持ブラケット１９と庇本体３とが、支持ロッド２０を介して連結される構成の建物用庇に対して、上記構成を適用してもよい。
【符号の説明】
【００３８】
１      建物用庇
２      壁面取り付け部材
３      庇本体
４      先端見切り材
５      庇構成材
６、７    庇樋部
８      下側材（下側先端見切り材）
８ａ    底面部
８ｂ    立設部
８ｊ    雨水用孔部（連結部間雨水用通路）
９      覆い部（先端見切り覆い部）
１０    側面蓋（先端見切り側面蓋）
１５、１６    合流部
１７    近接排水部
Ｗ１    雨水
Ｗ２    雨水（連結部間雨水）
【図１】
2019218747.tif 000003
【図２】
2019218747.tif 000004
【図３】
2019218747.tif 000005
【図４】
2019218747.tif 000006
【図５】
2019218747.tif 000007
【図６】
2019218747.tif 000008
【図７】
2019218747.tif 000009
【図８】
2019218747.tif 000010
【図９】
2019218747.tif 000011
【図１０】
2019218747.tif 000012
【図１１】
2019218747.tif 000013
【図１２】
2019218747.tif 000014
【図１３】
2019218747.tif 000015
【図１４】
2019218747.tif 000016
【図１５】
2019218747.tif 000017
【図１６】
2019218747.tif 000018